(57)【特許請求の範囲】
【請求項１】
底辺部同士が接続され、側辺部同士及び上辺部同士がファスナー等の留め具によって開閉可能に接続された一対のカバー体を有し、そのカバー体間に収容空間が形成されるようにした小物入れであって、
前記収容空間を仕切る４つの仕切り部材を備え、
第１仕切り部材は、その一方の側縁部を一方のカバー体における一方の側辺部に、
第２仕切り部材は、その一方の側縁部を一方のカバー体における他方の側辺部に、
第３仕切り部材は、その一方の側縁部を他方のカバー体における一方の側辺部に、
第４仕切り部材は、その一方の側縁部を他方のカバー体における他方の側辺部に、それぞれ接続されるとともに、
各仕切り部材の他方の側縁部はすべて互いに接続されて、これら仕切り部材が、前記上辺部側から視て、Ｘ字状をなすように形成されており、
前記第１仕切り部材、前記第２仕切り部材及び前記一方のカバー体により、前記上辺部側に開口する第１収容空間が形成され、
前記第３仕切り部材、前記第４仕切り部材及び前記他方のカバー体により、前記上辺部側に開口する第２収容空間が形成され、
前記第１仕切り部材、前記第３仕切り部材により、前記上辺部側及び一方の側辺部側に開口する第３収容空間が形成され、
前記第２仕切り部材、前記第４仕切り部材により、前記上辺部側及び他方の側辺部側に開口する第４収容空間が形成されていることを特徴とする小物入れ。
【請求項２】
前記留め具が、スライダを備えたファスナーであり、
前記一対のカバー体が、前記スライダを一方の側辺部、上辺部及び他方の側辺部に沿ってこの順番で移動させることで開くように構成されている請求項１記載の小物入れ。
【請求項３】
前記第３収容空間又は前記第４収容空間のいずれか一方又は双方の内壁に設けられ、その収容空間に収容された収容物と連結可能な脱落防止具をさらに備えている請求項１又は２のいずれかに記載の小物入れ。
【請求項４】
前記脱落防止具が、前記内壁を構成する仕切り部材の前記他方の側縁部に設けられている請求項３記載の小物入れ。
【請求項５】
前記脱落防止具が、前記内壁を構成する仕切り部材の上縁部に設けられている請求項３又は４のいずれかに記載の小物入れ。
【発明の詳細な説明】
【技術分野】
【０００１】
本発明は、小物入れ。
【背景技術】
【０００２】
従来、例えば特許文献１に示すように、一対のカバー体間に形成された収容空間が複数の収容空間に仕切られた小物入れは存在していたが、それらの収容空間のうちの一部が、一対のカバー体の側辺部側に開口するような構造のものは、見当たらない。
【先行技術文献】
【特許文献】
【０００３】
【特許文献１】実開平３−１０１２２４号公報
【発明の概要】
【発明が解決しようとする課題】
【０００４】
そこで、本発明は、一対のカバー体の側辺部側へ開口する収容空間を備えた斬新かつシンプルなデザインの小物入れを得ることを主たる課題とするものである。
【課題を解決するための手段】
【０００５】
本発明に係る小物入れは、底辺部同士が接続され、側辺部同士及び上辺部同士がファスナー等の留め具によって開閉可能に接続された一対のカバー体を有し、カバー体間に収容空間が形成されるようにした小物入れであって、前記収容空間を仕切る４つの仕切り部材を備え、第１仕切り部材は、その一方の側縁部を一方のカバー体における一方の側辺部に、第２仕切り部材は、その一方の側縁部を一方のカバー体における他方の側辺部に、第３仕切り部材は、その一方の側縁部を他方のカバー体における一方の側辺部に、第２仕切り部材は、その一方の側縁部を他方のカバー体における他方の側辺部に、それぞれ接続されるとともに、各仕切り部材の他方の側縁部はすべて互いに接続されて、これら仕切り部材が、前記上辺部側から視て、Ｘ字状をなすように形成されており、前記第１仕切り部材、前記第２仕切り部材及び前記一方のカバー体により、前記上辺部側に開口する第１収容空間が形成され、前記第３仕切り部材、前記第４仕切り部材及び前記他方のカバー体により、前記上辺部側に開口する第２収容空間が形成され、前記第１仕切り部材、前記第３仕切り部材により、前記上辺部側及び一方の側辺部側に開口する第３収容空間が形成され、前記第２仕切り部材、前記第４仕切り部材により、前記上辺部側及び他方の側辺部側に開口する第４収容空間が形成されていることを特徴とするものである。
【０００６】
このような構成によれば、一対のカバー体間に形成される収容空間を４つの仕切り部材によって上辺部側から視てＸ字状に仕切ったので、極めて斬新かつシンプルなデザインとなる。また、留め具を外して開放した場合に、第３収容空間及び第４収容空間は上辺部側だけでなく側辺部側へも開口するので、近時普及しつつあるスマートキー等の大きな収容物であっても出し入れし易く収容できる。さらに、第１収容空間及び第２収容空間は上辺部側へのみ開口するので、第１収容空間及び第２収容空間に収容した収容物は脱落し難く、カード、紙幣又は硬貨等を収容するのに好適である。
【０００７】
また、前記留め具が、スライダを備えたファスナーであり、前記一対のカバー体が、前記スライダを一方の側辺部、上辺部及び他方の側辺部に沿ってこの順番で移動させることで開くように構成されているものであってもよい。
【０００８】
このような構成によれば、一対のカバー体における一方の側辺部を開くだけで、第３収容空間が当該一方の側辺部側に開放するので、当該第３収容空間に収容した収容物を僅かな動作で出し入れできる。また、一対のカバー体における一方の側辺部のみを開くと、第３収容空間のみが開放し他の収容空間は開放せず閉鎖した状態が維持されるので、第３収容空間から収容物を取り出す場合に、他の収容空間から収容物が飛び出して脱落することを防止できる。
【０００９】
また、前記第３収容空間又は前記第４収容空間のいずれか一方又は双方の内壁に設けられ、その収容空間に収容された収容物と連結可能な脱落防止具をさらに備えているものであってもよい。
【００１０】
このような構成によれば、脱落防止具を収容物に連結しておくことで、第３収容空間又は第４収容空間の側辺部側の開口から不用意に収容物が脱落することを防止できる。これにより、従来の小物入れでは、収容空間として使用されていなかった第３収容空間や第４収容空間のように側辺部側へ開口する空間も収容空間として使用できるようになる。
【００１１】
また、前記脱落防止具が、前記内壁を構成する仕切り部材の前記他方の側縁部に設けられているものであってもよい。
【００１２】
このような構成によれば、脱落防止具が第３収容空間又は第４収容空間の側辺部側の開口に対して奥側に配置されるので、当該開口から収容物を出し入れする場合に脱落防止具が邪魔にならない。
【００１３】
また、前記脱落防止具が、前記内壁を構成する仕切り部材の上縁部に設けられているものであってもよい。
【００１４】
このような構成によれば、第３収容空間又は第４収容空間から脱落防止具に連結された収容物を引き出す場合に、脱落防止具を支点として収容物をカバー体の外側まで大きく引き出すことができるので、例えば、脱落防止具に連結したままであってもスマートキー等を操作し易くなる。
【発明の効果】
【００１５】
本発明に係る小物入れによれば、一対のカバー体の側辺部側へ開口する収容空間を備えた従来にない斬新かつシンプルなデザインのものとなる。
【図面の簡単な説明】
【００１６】
【図１】第１の実施形態に係る小物入れを模式的に示す斜視図である。
【図２】第１の実施形態に係る小物入れを模式的に示す平面図である。
【図３】第１の実施形態に係る小物入れを模式的に示す側面図である。
【発明を実施するための形態】
【００１７】
以下に、本発明に係る小物入れを図面に基づいて説明する。
【００１８】
＜第１の実施形態＞  本実施形態に係る小物入れは、例えば、クレジットカードやポイントカード等の各種カード、紙幣、硬貨、自動車等のスマートキーなどを収容するのに好適なものである。
【００１９】
本実施形態に係る小物入れ１００は、図１に示すように、一対のカバー体１０と、両カバー体１０間に形成される収容空間Ｓを仕切る４つの仕切り部材２０と、４つの仕切り部材２０で仕切って形成された一部の収容空間内に設けられた脱落防止具３０と、を備えている。
【００２０】
前記一対のカバー体１０は、いずれも略矩形状をなすものであり、互いに同形状のものである。そして、一対のカバー体１０は、底辺部１１同士が接続され、側辺部１２同士及び上辺部１３同士が留め具１４によって開閉可能に接続されるように構成されている。
【００２１】
本実施形態では、前記一対のカバー体１０は、一枚の長尺をなす略長方形状のカバー材料１０ｘ（具体的には、皮革、合成皮革、布地等）を長手方向中央で二つ折りして形成されている。また、前記一対のカバー体１０は、側辺部１２及び上辺部１３にマチ１５を有している。そして、一対のカバー体１０は、このマチ１５同士が留め具１４によって開閉可能に接続されるように構成されている。よって、一対のカバー体１０の間には、マチ１５の分だけ厚みが形成される。
【００２２】
前記いずれか一方のカバー体１０ａには、その外面側にポケット１６が設けられている。また、当該一方のカバー体１０の外面には、鍵等を着脱可能に連結できる連結具（図示せず）がポケット１６内に収まるように取り付けられている。なお、ポケット１６は、カバー体１０の上辺部１３側に向かって開口しており、その開口をボタン等の開閉具１７によって開閉できるように構成されている。
【００２３】
前記留め具１４は、一つのスライダ１４ｓを備えたファスナーである。そして、一対のカバー体１０は、ファスナー１４によって側辺部１２同士及び上辺部１３同士をすべて閉じた状態から、スライダ１４ｓを一方の側辺部１２ａ、上辺部１３、他方の側辺部１２ｂに沿ってこの順番で順次移動させることで開き、逆の順番で順次移動させることで閉じるように構成されている。
【００２４】
前記４つの仕切り部材２０は、いずれも略矩形状のものである。具体的には、４つの仕切り部材２０は、いずれも左右方向の幅がおおよそカバー体１０を左右方向に二分した長さになっており、上下方向の長さがカバー体１０の上下方向の長さよりも短くなっている。
【００２５】
そして、図２に示すように、第１仕切り部材２１は、その一方の側縁部２１ａが一方のカバー体１０ａにおける一方の側辺部１２ａに接続されている。また、第２仕切り部材２２は、その一方の側縁部２２ａが一方のカバー体１０ａにおける他方の側辺部１２ｂに接続されている。また、第３仕切り部材２３は、その一方の側縁部２３ａが他方のカバー体１０ｂにおける一方の側辺部１２ａに接続されている。また、第４仕切り部材２４は、その一方の側縁部２４ａが他方のカバー体１０ｂにおける他方の側辺部１２ｂに接続されている。そして、これらの仕切り部材２１〜２４は、他方の側縁部２１ｂ〜２４ｂがすべて互いに接続されており、下縁部２１ｃ〜２４ｃがそれぞれ一対のカバー体１０における底辺部１１に接続されている。
【００２６】
これにより、前記４つの仕切り部材２０は、上辺部１３側から視てＸ字状をなすように形成される。詳述すると、前記第１仕切り部材２１及び前記第３仕切り部材２３が、上辺部１３側から視て一方のカバー体１０ａの一方の側辺部１２ａから他方のカバー体１０ｂの他方の側辺部１２ｂへ斜めに架け渡されるように連続し、第２仕切り部材２２及び第４仕切り部材２４が、一方のカバー体１０ａの他方の側辺部１２ｂから他方のカバー体１０ｂの一方の側辺部１２ａへ斜めに架け渡さるように連続し、これにより、Ｘ字状をなすように形成されている。
【００２７】
本実施形態では、前記第１仕切り部材２１と前記第３仕切り部材２３とは、一枚の略矩形状の仕切り材料２０ｘ（具体的には、皮革、合成皮革、布地等）を中央で二つ折りして形成されている。同様に、前記第２仕切り部材２２と前記第４仕切り部材２４とは、一枚の略矩形状の仕切り材料２０ｙ（具体的には、皮革、合成皮革、布地等）を中央で二つ折りして形成されている。そして、両仕切り材料２０ｘ、２０ｙは、それぞれの折り曲げた部分同士を互いに接続し、これにより、各仕切り部材２１〜２４の他方の側縁部２１ｂ〜２４ｂをすべて互いに接続している。
【００２８】
そして、前記４つの仕切り部材２１〜２４は、前記両カバー体１０の間に形成される収容空間Ｓを４つの収容空間Ｓ１〜Ｓ４に仕切る。具体的には、前記４つの仕切り部材２１〜２４は、収容空間Ｓを、第１仕切り部材２１、第２仕切り部材２２及び一方のカバー体１０ａによって形成される第１収容空間Ｓ１、第３仕切り部材２３、第４仕切り部材２４及び他方のカバー体１０ｂによって形成される第２収容空間Ｓ２、第１仕切り部材２１、第３仕切り部材２３によって形成される第３収容空間Ｓ３、第２仕切り部材２２、第４仕切り部材２４によって形成される第４収容空間Ｓ４の四つの収容空間Ｓ１〜Ｓ４に仕切る。
【００２９】
前記第１収容空間Ｓ１及び前記第２収容空間Ｓ２は、いずれも上辺部１３側へ向かって開口するように構成される。また、前記第３収容空間Ｓ３は、上辺部１３側及び一方の側辺部１２ａ側へ向かって開口するように構成される。また、前記第４収容空間Ｓ４は、上辺部１３側及び他方の側辺部１２ｂ側へ向かって開口するように構成される。そして、各収容空間Ｓ１〜Ｓ４は、留め具１４を外すことによって開放するようになっている。
【００３０】
具体的には、前記第１収容空間Ｓ１及び前記第２収容空間Ｓ２は、運転免許書サイズの各種カードを収容できるサイズになっている。具体的には、第１収容空間Ｓ１及び第２収容空間Ｓ２は、その左右方向の幅が前記カードの長手方向の幅よりも僅かに長い幅になっている。また、前記第３収容空間Ｓ３及び前記第４収容空間Ｓ４は、自動車のスマートキーを収容できるサイズになっている。これにより、本発明に係る小物入れ１００は、各収容空間Ｓ１〜Ｓ４を利用して自動車を運転する際に鞄やポケット等に入れて持ち歩く各種グッズを一通り収容できるようになっている。
【００３１】
前記脱落防止具３０は、第３収容空間Ｓ３及び第４収容空間Ｓ４の内壁に設けられており、その内壁と収容物とを繋ぎ留め、当該収容物が収容空間Ｓ３，Ｓ４から脱落することを防止するためのものである。具体的には、脱落防止具３０は、扁平状の紐体３１と、紐体３１の先端部を折り返して形成されるループに取り付けられるリング体３２と、を備えており、このループやリング体３２に収容物を連結するように構成されている。なお、脱落防止具３０は、その全長が仕切り部材２０の左右方向の長さよりも短く、また、仕切り部材２０の上下方向の長さよりも短くなっている。
【００３２】
前記紐体３１は、その基端部３１ｓが第３収容空間Ｓ３の内壁を構成する一対の仕切り部材２１，２３の互いに接続される他方の側縁部２１ｂ，２３ｂに取り付けられている。具体的には、紐体３１の基端部３１ｓは、当該一対の仕切り部材２１，２３の境界に跨るように取り付けられている。また、紐体３１の基端部３１ｓは、当該仕切り部材２０の上下方向中央よりも上側の上縁部に取り付けられている。なお、第４収容空間Ｓ４に取り付けられた紐体３１も同様に一対の仕切り部材２２，２４に取り付けられている。そして、第３収容空間Ｓ３及び第４収容空間Ｓ４のそれぞれに設けられた紐体３１は、両仕切り材料２０ｘ、２０ｙを貫通する貫通孔２０ｈを通して互いに連結されている。
【００３３】
このような構成によれば、一対のカバー体間に形成される収容空間を４つの仕切り部材によって上辺部側から視てＸ字状に仕切ったので、極めて斬新かつシンプルなデザインとなる。また、留め具を外して開放した場合に、第３収容空間及び第４収容空間は上辺部側だけでなく側辺部側へも開口するので、近時普及しつつあるスマートキー等の大きな収容物であっても出し入れし易く収容できる。さらに、第１収容空間及び第２収容空間は上辺部側へのみ開口するので、第１収容空間及び第２収容空間に収容した収容物は脱落し難く、カード、紙幣又は硬貨等を収容するのに好適である。
【００３４】
また、一対のカバー体における一方の側辺部を開くだけで、第３収容空間が当該一方の側辺部側に開放するので、当該第３収容空間に収容した収容物を僅かな動作で出し入れできる。また、脱落防止具を収容物に連結しておくことで、第３収容空間又は第４収容空間から不用意に収容物が脱落することを防止できる。また、脱落防止具を第３収容空間及び第４収容空間の内壁を構成する一対の仕切り部材の他方の側縁部及び上縁部に接続したので、脱落防止具が邪魔にならず収容物を大きくカバー体の外側まで引き出すことができる。
【００３５】
＜その他の実施形態＞  前記第１の実施形態においては、第１仕切り部材２１及び第３仕切り部材２３や第２仕切り部材２２及び第４仕切り部材２４を一枚の仕切り材料から形成したが、各仕切り部材２０をそれぞれ別の仕切り材料によって形成してもよい。
【００３６】
前記留め具１４は、二つのスライダ１４ｓを備えたファスナーであってもよい。また、留め具１４は、ファスナーに限定されず、例えば、ボタン等の他のものであってもよい。
【００３７】
前記脱落防止具３０は、第３収容空間Ｓ３又は第４収容空間Ｓ４のいずれか一方のみに設けてもよい。また、脱落防止具３０は、紐体３１のみで構成してもよい。
【００３８】
その他、本発明は前記各実施形態に限られず、その趣旨を逸脱しない範囲で種々の変形が可能であるのは言うまでもない。
【符号の説明】
【００３９】
１００  小物入れ
１０  カバー体
Ｓ  収容空間
Ｓ１  第１収容空間
Ｓ２  第２収容空間
Ｓ３  第３収容空間
Ｓ４  第４収容空間
２０  仕切り部材
２１  第１仕切り部材
２２  第２仕切り部材
２３  第３仕切り部材
２４  第４仕切り部材
３０  脱落防止具
【要約】
【課題】一対のカバー体間に形成された収容空間を複数に仕切って形成された収容空間の一部が側方部側へ開口する小物入れを得る。
【解決手段】一対のカバー体間に収容空間が形成されるようにした小物入れであって、前記収容空間を上辺部側から視てＸ字状をなすように形成された４つの仕切り部材で仕切り、上辺部側に開口する第１収容空間及び第２収容空間を形成し、上辺部側及び一方の側辺部側に開口する第３収容空間を形成し、上辺部側及び他方の側辺部側に開口する第４収容空間を形成する。
【選択図】図１【図１】
0006824539.tif 000002
【図２】
0006824539.tif 000003
【図３】
0006824539.tif 000004